(57)【要約】【課題】ＴＥ２０１モードの共振周波数より低い周波数での不要スプリアスを抑制するとともに、幅広面を小さくすることなく、カットオフ周波数を高周波側へ移行させることのできる帯域通過フィルタを提供する。【解決手段】内部に矩形導波路を有し、一の内壁から一の内壁に相対向する内壁側に延設されて非対称の誘導性窓を形成する複数の仕切壁１２が一体に形成された矩形導波管と、仕切壁１２から離間した位置に配置され、誘導性窓に突出する長さによって導波路の伝搬周波数及び結合度を調整する周波数調整ビス１４及び結合度調整ビス１３と、隣接する仕切壁１２の間に、一の内壁から延設された絞り１６とを備える帯域通過フィルタ。【選択図】  図１
2004235731.tif 000002
【特許請求の範囲】
【請求項１】
内部に矩形導波路を有し、一の内壁から該一の内壁に相対向する内壁側に延設されて非対称の誘導性窓を形成する複数の仕切壁が一体に形成された矩形導波管と、
前記仕切壁から離間した位置に配置され、前記誘導性窓に突出する長さによって前記導波路の伝搬周波数及び結合度を調整する周波数調整ビス及び結合度調整ビスと、
隣接する前記仕切壁の間に、前記一の内壁から延設された絞りとを備えることを特徴とする帯域通過フィルタ。
【発明の詳細な説明】
【０００１】
【発明の属する技術分野】
本発明は、帯域通過フィルタに関し、特に、矩形導波管と非対称構造の導体壁とを備えた帯域通過フィルタに関する。
【０００２】
【従来の技術】
従来、帯域通過フィルタには、矩形導波管をその底面から適当な長さで仕切ることによって誘導性窓を形成し、フィルタとして動作させるものが提案されている（例えば、特許文献１参照）。
【０００３】
この帯域通過フィルタは、図４に示すように、一側面を開口とした矩形導波路３９に、非対称の誘導性窓４０を形成する仕切壁３２が帯域周波数に応じて所定間隔で複数一体形成されてなる本体３１と、矩形導波路３９の開口面を塞ぐようにして接合されるカバー３５とを備え、矩形導波路３９の伝搬周波数を調整する周波数調整ビス３７を仕切壁３２間の中間の位置に設け、結合度を調整する結合度調整ビス３８をカバー３５から仕切壁３２に向かって設けている。
【０００４】
【特許文献１】
特許第３０２５９３０号公報
【０００５】
【発明が解決しようとする課題】
上記従来の帯域通過フィルタにおいては、導体壁を非対称に形成しているため、導波管内に非対称な電磁界分布が生じ、周波数調整ビス３７の挿入量を増加させると、共振周波数は低くなるが、通過帯域幅が狭くなる。そこで、通過帯域幅を所定の幅に保持するため、結合度調整ビス３８を挿入する必要がある。しかし、これら調整ビス３７、３８の挿入量が大きくなると、ＴＥ２０１モードの共振周波数よりも低い周波数でスプリアス（不要共振）が発生するという問題があった。この現象は、結合度調整ビス３８の挿入量が大きくなればなる程顕著となる。
【０００６】
また、上記従来の帯域通過フィルタにおいては、高次モードのカットオフ周波数は、導波管の幅広面の寸法に依存しており、これを小さくすることで高周波側へ移すことができる。しかし、導波管を小さくしてしまうと、周波数調整ビス３７と結合度調整ビス３８とが物理的に干渉するという問題があった。
【０００７】
そこで、本発明は、上記従来の帯域通過フィルタにおける問題点に鑑みてなされたものであって、ＴＥ２０１モードの共振周波数より低い周波数での不要スプリアスを抑制するとともに、幅広面を小さくすることなく、カットオフ周波数を高周波側へ移行させることのできる帯域通過フィルタを提供することを目的とする。
【０００８】
【課題を解決するための手段】
上記目的を達成するため、本発明は、帯域通過フィルタであって、内部に矩形導波路を有し、一の内壁から該一の内壁に相対向する内壁側に延設されて非対称の誘導性窓を形成する複数の仕切壁が一体に形成された矩形導波管と、前記仕切壁から離間した位置に配置され、前記誘導性窓に突出する長さによって前記導波路の伝搬周波数及び結合度を調整する周波数調整ビス及び結合度調整ビスと、隣接する前記仕切壁の間に、前記一の内壁から延設された絞りとを備えることを特徴とする。
【０００９】
そして、本発明によれば、ＴＥ１０１モードがほとんど分布していないフィルタ部の片側端に設けた絞りを、ＴＥ２０モードに対して電界分布の非対称を抑制するように働かせることにより、不要なスプリアスを高周波側へ移動させることができ、ＴＥ２０１モードの共振周波数より低い周波数での不要スプリアスを抑制するとともに、幅広面を小さくすることなく、カットオフ周波数を高周波側へ移行させることが可能となる。
【００１０】
【発明の実施の形態】
次に、本発明の実施の形態について図面を参照しながら詳細に説明する。
【００１１】
図１及び図２は、本発明にかかる帯域通過フィルタの一実施の形態を示し、この帯域通過フィルタは、大別して、導電材からなる本体１１と、一側面を開口したコ字状の導波路が形成され、この導波路を内壁から仕切る複数の仕切壁１２と、本体１１内に突出する長さによって導波路の伝搬周波数及び結合度を調整する結合度調整ビス１３及び周波数調整ビス１４と、導電材からなり、本体１１に対して導波路の開口側面を塞ぐように設けられたカバー１５と、隣接する仕切壁１２の間に設けられた絞り１６とで構成される。
【００１２】
図４に示した従来の帯域通過フィルタのように、導波管に対して非対称な導体壁を備える構造では、結合度調整ビス３８を挿入するに従って電磁界の非対称性が強まり、ＴＥ２０１モードを構成する電界分布が図６に示されるようになる。そこで、図１に示した本発明にかかる帯域通過フィルタのように、ＴＥ１０１モードがほとんど分布していないフィルタ部の片側端に絞り１６を設けることにより、ＴＥ２０モードに対して電界分布の非対称を抑制するように働かせる。
【００１３】
これによって、図５に示すような従来の帯域通過フィルタの特性から、不要なスプリアスを高周波側へ移した図３に示すような本発明にかかる帯域通過フィルタの特性を得ることができる。この特性は、導波管の幅広面を小さくした場合に見られる現象と同様の傾向であるが、小さい幅広面が要求されるような高い周波数でフィルタを形成する場合には、周波数調整ビス１４と結合度調整ビス１３とが物理的に干渉するのを避けることができ、有用である。
【００１４】
【発明の効果】
以上説明したように、本発明にかかる帯域通過フィルタによれば、ＴＥ２０１モードの共振周波数より低い周波数での不要スプリアスを抑制することができ、幅広面を小さくすることなく、カットオフ周波数を高周波側へ移行させることが可能となる。
【図面の簡単な説明】
【図１】本発明にかかる帯域通過フィルタの一実施形態を示す分解斜視図である。
【図２】図１の帯域通過フィルタの平面図である。
【図３】図１の帯域通過フィルタの特性を示すグラフである。
【図４】従来の帯域通過フィルタの一例を示す分解斜視図である。
【図５】図４の帯域通過フィルタの特性を示すグラフである。
【図６】図４の帯域通過フィルタの断面図及びある位相の共振器内のＴＥ２０１モード電界分布を示す図である。
【符号の説明】
１１        本体
１２        仕切壁
１３        結合度調整ビス
１４        周波数調整ビス
１５        カバー
１６        絞り
【図１】
2004235731.tif 000003
【図２】
2004235731.tif 000004
【図３】
2004235731.tif 000005
【図４】
2004235731.tif 000006
【図５】
2004235731.tif 000007
【図６】
2004235731.tif 000008